(57)【要約】【課題】  従来は、ケーシング内に磁石部を設けた振り子をケーシング内に搖動軸を介して搖動可能に設置し、また、ケーシング内に磁気センサーを備えたプリント基板を設置する構成であり、該振り子の搖動角度に応じ該磁気センサーが受ける該磁石部の磁気の有無によって所定の信号を出力するものである。しかし、磁石を用いるため、設置する場所の範囲が限定される問題点や、全方位に対応が困難である問題点がある。【解決手段】  半導体レーザーなど発光素子からなる光源３と、該光源３からの光を検出する光検出器６を備える。また、該光源３と該光検出器６の間に光通過孔付ガイド４ａを設けた振り子４を高粘度の液体を充填した振り子収納容器５内に収納し、ホルダー２に取り付ける。さらに、該振り子４は、該基端側から該先端側に光を透過する振り子であり、該光検出器６が光を検出できなくなったときに所定の傾きに達したことを検知する傾斜センサーを提供する。【選択図】図５
2014089938.tif 000002
【特許請求の範囲】
【請求項１】
半導体レーザーなど発光素子からなる光源と、該光源からの光を検出する光検出器と、該光源と該光検出器の間に重力方向に吊るした振り子が収納された振り子収納容器を取り付けるホルダーとで構成し、さらに、該振り子は、基端側が振り子収納容器のキャップに支持され、先端側に光通過孔付きガイドを有し、該基端側から該先端側に光を透過する振り子であって、該光検出器が該光通過孔付ガイドからの光を検出できなくなったときに所定の傾きに達したことを検知することを特徴とする傾斜センサースイッチ。
【請求項２】
前記振り子の基端側は球体に加工することを特徴とする請求項１の傾斜センサースイッチ。
【請求項３】
前記振り子収納容器内には高粘度の液体を充填することを特徴とする請求項１の傾斜センサースイッチ。
【請求項４】
前記振り子の先端側に有する前記光通過孔付きガイドの孔径を可変にできることを特徴とする請求項１記載の傾斜センサースイッチ。
【発明の詳細な説明】
【技術分野】
【０００１】  本発明は二輪車、四輪バギー車、建設用・農業用四輪車、建設用特殊機器（以降は車両という）などに設置され、該車両転倒時、または所定の傾斜に達したとき自動でエンジンを停止する傾斜センサースイッチに関する。
【背景技術】
【０００２】  従来におけるこの種の傾斜センサースイッチは、車両に取り付けられるケーシングと、このケーシング内に揺動軸を介して揺動可能に設置された振り子と、この振り子に設けられた磁石部と、該ケーシング内に設置されたプリント基板と、このプリント基板に設置された磁気センサーとを備え、該振り子の揺動角度に応じ該磁気センサーが受ける該磁石部の磁気の有無によって所定の信号を出力する傾斜センサースイッチがある（特許文献１参照）。
【先行技術文献】
【特許文献】
【０００３】
【特許文献１】特開２０１１−１２１５２９号公報
【発明の開示】
【発明が解決しようとする課題】
【０００４】  しかし、従来の傾斜センサースイッチは磁石を用いるため、近くに鉄など金属の影響で作動が不安定になる恐れがある。このため、該傾斜センサースイッチを設置する場所の範囲が限定される問題点がある。また、方向性の制約が多いため、全方位に対応が困難である問題点がある。さらに、多振動による耐久性や誤動作の問題点がある。【０００５】  本発明の課題は上記の問題点を解消することである。
【課題を解決するための手段】
【０００６】  上記の課題を達成するために本発明は、半導体レーザーなど発光素子からなる光源と、該光源からの光を検出する光検出器と、該光源と該光検出器の間に重力が働く方向に吊るした振り子が収納された振り子収納容器を取り付けるホルダーとで構成し、さらに、該振り子は、基端側が振り子収納容器のキャップに支持され、先端側は光通過孔付きガイドを有し、該基端側から該先端側に光を透過する振り子であって、該検出器が該光通過孔付ガイドからの光を検出できなくなったときに所定の傾きに達したことを検知する構成とする。【０００７】  また、前記振り子の基端側は球体に加工する構成とする。【０００８】  また、前記振り子収納容器内には高粘度の液体を充填する構成とする。【０００８】  さらに、前記振り子の先端側に有する前記光通過孔付きガイドの孔径を可変にできる構成とする。
【発明の効果】
【０００９】  以上の説明から明らかなように、本発明にあっては次に列挙する効果が得られる。
（１）  センサー部に光源と光検出器を構成することにより磁気の影響がないため、傾斜センサースイッチを取り付ける場所の範囲の拡大ができる。
（２）  さらに、振り子の基端側を球体にすることにより水平面を基準としたとき全方位に傾けることができる。
（３）  高粘度の液体を充鎮することにより振り子の動きを制限するため、振動による耐久性、誤動作防止の向上ができる。
（４）  光を通すための孔の径を変えることで作動角度の変更ができる。
【図面の簡単な説明】
【００１０】
【図１】本発明に係る傾斜センサースイッチの外観斜視図
【図２】本発明に係る傾斜センサースイッチの分解図
【図３】振り子と光通過孔付ガイドを一体化した図
【図４】図１において傾斜してないときのＡ−Ａ断面図
【図５】図１において傾斜したときのＡ−Ａ断面図
【発明を実施するための最良の形態】
【００１１】  以下、本発明の実施の形態を図に基づいて説明する。
【実施例】
【００１２】  図１に本発明に係る傾斜センサースイッチの外観斜視図を示す。図１において、１は本発明に係る傾斜センサースイッチの基板、２は振り子収納容器を取り付けるホルダー、３は半導体レーザーなど発光素子からなる光源、５は後述する振り子４を収納する振り子収納容器、７は振り子収納容器５に組付けるキャップである。このように基板１にホルダー２を設置し、ホルダー２の上部に光源３を光の照射方向が下に向くよう設置する。また、光源３の下に収納容器５とキャップ７を組付けたものを取り付ける。【００１３】  図２に本発明に係る傾斜センサースイッチの分解図を示す。図２において、４は振り子である。振り子４の先端側（図２において振り子４下側）は後述する光通過孔付ガイド４ａを取り付ける。また、振り子４の基端側（図２において振り子４上側）は図の様に球体に加工する。これにより、光源３から振り子４の基端側を通る光は屈折せず直進する。【００１４】  また、図２において、キャップ７の振り子４を支持する部分は、振り子４の基端側より僅かに大きい凹部を設ける。これにより、振り子４を取り付け後、キャップ７は重力が働く方向に垂直な面を基準に全方位に傾斜したとき、振り子４は重力が働く方向に向いている。【００１５】  また、図２において符号８はオーリングであり、後述する高粘度の液体の漏れを防ぐためキャップ７に取り付けられる。キャップ７に支持された振り子４は振り子収納容器５に収納される。【００１６】  さらに、図２において符号６は光源３からの光を検出する光検出器であり、光源３と向かい合うようホルダー２の下部に取り付ける。【００１７】  図３に振り子と光通過孔付ガイドを一体化した図を示す。図３において、４ａは光通過孔付ガイドである。光通過孔付ガイド４ａは振り子４の先端側に取り付ける。また、光通過孔付ガイド４ａは図のように通過孔を設ける。これにより光源３からの光が光検出器６に届く。【００１８】  さらに手動による調整を行いたい場合は、特に図示しないが、光通過孔付ガイド４ａは、複数の非透過性で薄い板をカメラの絞りのように中心に光が通る通過孔を設けるように重ね合わせ、さらに通過孔を可変できる調整機具を取り付ける。これにより、検知する所定の傾きの調整を手動で行うことが可能となる。【００１９】  次に本発明に係る傾斜センサースイッチが傾斜していない時の動作について図４に示す。図４において、光源３からの光がキャップ７、振り子４、光通過孔付ガイド４ａの通過孔を通り、振り子収納容器５を抜けて、光検出器６に光が届く。【００２０】  図５に本発明に係る傾斜センサースイッチが傾斜した図を示す。前記の説明により、光源３からの光は図のようにキャップ７、振り子４を屈折せず直進する。さらに、振り子４は図のように重力が働く方向に向くため、所定の角度に達したとき、光通過孔付ガイド４ａにより光が遮られ光検出器６に光が届かない。このとき所定の角度に達したと判断する。【００２１】  図５において、１方向の傾斜による動作を例に説明しているが、本発明では振り子４の基端側を球体に加工することにより、キャップ７は全方位に傾けることができるため、全方位を傾けたとき、上記と同様に所定の角度に達したと判断することがで���る。【００２２】  図４、図５において振り子収納容器５内には振り子４の多振動による耐久性、誤動作防止のため高粘度の液体を充填する。また、高粘度の液体は光を通すために透過性のよい液体を用いることが最適であり、例えば、熱や寒さによる膨張、凝固を防ぎ、気泡が発生しにくい特徴を持つシリコンオイルを用いてもよい。【００２３】  本発明に係る傾斜センサースイッチは前記の通り光を用いたものであるため光源には可視光、赤外線等を用いてもよい。また、本発明に係る傾斜センサースイッチは振り子４、振り子収納容器５、キャップ７においては光を通すために透過性の良い樹脂材料で形成することが望ましい。
【産業上の利用可能性】
【００２４】  本発明に係る傾斜センサースイッチは、多振動による耐久性、誤動作を向上し、取り付け環境に影響されずに取り付けられるため、取り付ける場所の範囲が拡大されるものである。よって、産業上の利用可能性は高いものである。
【符号の説明】
【００２５】    １  …  本発明に係る傾斜センサースイッチの基板
２  …  振り子収納容器を取り付けるホルダー
３  …  光源
４  …  振り子
４ａ  …  光通過孔付ガイド
５  …  振り子収納容器
６  …  光検出器
７  …  キャップ
８  …  オーリング
【図１】
2014089938.tif 000003
【図２】
2014089938.tif 000004
【図３】
2014089938.tif 000005
【図４】
2014089938.tif 000006
【図５】
2014089938.tif 000007